(57)【要約】      （修正有）【課題】コスト低減とアンテナ特性の向上を図る。【解決手段】イヤホンコード１３Ｒ，１３Ｌの一端側にイヤホン１４Ｒ，１４Ｌを設け他端側にピンジャック１５を設けたイヤホン部３と、互いに絶縁を保持された導線２４Ｒ，２４Ｌによって構成した芯線とシールド線２２とを有して一端側にピンジャック１５が着脱されて導線２４Ｒ，２４Ｌとイヤホンコード１３Ｒ，１３Ｌとを接続するピンコネクタ２５が設けられた同軸ケーブル４と、この同軸ケーブル４の他端側に設けられて携帯型無線電子機器と接続されるピンプラグコネクタ５とを備え、同軸ケーブル４の一端側を、ピンプラグコネクタ５に設けられ高周波信号と低周波信号とを分離しかつ低周波信号を重畳させる分離・重畳回路部２７と接続する。【選択図】  図３
2007104591.tif 000002
【特許請求の範囲】
【請求項１】
イヤホンコードの一端側にイヤホンが設けられるとともに他端側に接続子が設けられたイヤホン部と、
互いに絶縁を保持された少なくとも２本の導線によって構成された芯線とこの芯線と絶縁されたシールド線とを有し、一端側に上記イヤホン部の上記接続子が着脱されて上記導線と上記イヤホンコードとを接続する接続体が設けられた同軸ケーブルと、
上記同軸ケーブルの他端側に設けられて携帯型無線電子機器と接続されるピンプラグコネクタ部とを備え、
上記イヤホンコードが上記同軸ケーブルとの接続部を給電点として上記同軸ケーブルの上記シールド線とで高周波信号を受信するアンテナを構成するとともに、上記同軸ケーブルが上記芯線を構成する上記導線が音声信号を伝送する信号線とグランド線とを構成し、
上記同軸ケーブルが、上記ピンプラグコネクタ部或いは上記無線電子機器側に設けられて高周波信号と上記音声信号とを分離するとともに上記低周波信号を重畳させる分離・重畳回路部に接続されることを特徴とするイヤホンアンテナ。
【請求項２】
上記イヤホン部が、左右一対のイヤホンと、左右一対の信号線及びグランド線からなるイヤホンコードを有するステレオイヤホン部であり、
上記同軸ケーブルが、上記イヤホンコードの上記各信号線と共通接続されたグランド線とにそれぞれ接続される互いに絶縁を保持された３本の導線によって上記芯線を構成することを特徴とする請求項１に記載のイヤホンアンテナ。
【請求項３】
上記分離・重畳回路部に、所定周波数帯域において上記高周波信号のグランドと上記無線電子機器側のグランドとの接続状態を切り離す機能素子を設けたことを特徴とする請求項１に記載のイヤホンアンテナ。
【発明の詳細な説明】
【技術分野】
【０００１】
本発明は、高周波信号（ＲＦ信号）と低周波信号（音声信号や音響信号、以下音声信号と総称する）とが混在して伝送されるイヤホンアンテナに関する。
【背景技術】
【０００２】
携帯型液晶テレビジョン受信機、携帯型ラジオ受信機或いはページャ等の携帯型無線電子機器においては、ロッドアンテナやイヤホンへ音声信号を伝送する信号線をアンテナとして利用するイヤホンアンテナを用いたものが提供されている（例えば、特許文献１）。
【０００３】
また、アンテナにおいては、同軸ケーブルを用いる場合に、専用のコネクタが用いられるとともに、音声信号に重畳されるノイズを除去するためにヘッドホン端子の下部にフェライトビーズが挿入される（例えば、特許文献２）。
【０００４】
【特許文献１】特開２００３−１６３５２９公報
【特許文献２】特開平９−１９９２３７号公報
【発明の開示】
【発明が解決しようとする課題】
【０００５】
ところで、出願人は、先に全長で約１／２λとなるイヤホンコードと同軸ケーブルとによってアンテナ線路を構成するとともに、このアンテナ線路の途中にイヤホンコードと同軸ケーブルとを接続しかつ音声信号を重畳させ或いは音声信号とＲＦ信号とを分離する分離・重畳回路を有する中継部を設けたイヤホンアンテナを提供した。かかるイヤホンアンテナは、中継部が、所定のパターンやグランドが形成された基板や、この基板に実装された複数個のフェライトビーズ或いはチップコンデンサ等によって構成される。
【０００６】
かかるイヤホンアンテナは、上述したように構成されてアンテナ線路の途中に設けられる中継部を備えることによって、コスト高となるとともにやや大型で重量も大きいために自由に引き回しづらいといった指摘もあった。また、イヤホンアンテナにおいては、上述したようにアンテナ線路の給電点を構成する中継部においてイヤホンコードと同軸ケーブルのコネクタ構造が設けられるとともに音声信号を重畳させ或いは音声信号とＲＦ信号との分離を行う分離・重畳回路を設けた基板や部品が設けられることから、独立したアンテナ線路と比較するとアンテナ特性がやや低下する。
【０００７】
一方、イヤホンアンテナにおいては、共通の問題としてイヤホンアンテナを機器本体と接続するコネクタ部分でのノイズ対策が重要である。すなわち、イヤホンアンテナにおいては、コンタクト素子で構成されるコネクタ部において、ＲＦ信号を伝送する同軸ケーブルの各伝送ラインを個別にシールドする対策を図ることによって大型化するといった問題がある。イヤホンアンテナにおいては、このためにフェライトビーズを挿入する等の対応が図られるが、機器本体側の設計を制約するといった問題があった。
【０００８】
したがって、本発明は、上述したイヤホンアンテナの問題点を改良してコスト低減とアンテナ特性の向上を図るイヤホンアンテナを提供することを目的とする。
【課題を解決するための手段】
【０００９】
上述した目的を達成する本発明にかかるイヤホンアンテナは、イヤホンコードの一端側にイヤホンが設けられるとともに他端側に接続子が設けられたイヤホン部と、互いに絶縁を保持された少なくとも２本の導線によって構成された芯線とこの芯線と絶縁されたシールド線とを有して一端側にイヤホン部の接続子が着脱されて導線とイヤホンコードとを接続する接続体が設けられた同軸ケーブルと、この同軸ケーブルの他端側に設けられて携帯型無線電子機器と接続されるコネクタ部とを備える。イヤホンアンテナは、同軸ケーブルが、コネクタ部或いは無線電子機器側に設けられ、高周波信号と低周波信号とを分離するとともに低周波信号を重畳させる分離・重畳回路部と接続される。
【００１０】
イヤホンアンテナにおいては、イヤホンコードが、接続子を接続体に接続することにより同軸ケーブルとの接続部を給電点としたシールド線とアンテナを構成して高周波信号を受信する。イヤホンアンテナにおいては、同軸ケーブルが、シールド線をグランドとして芯線によって受信した高周波信号の伝送ラインを構成するとともに、芯線を構成する少なくとも２本の導線がイヤホンコードを介してイヤホンに低周波信号を伝送する信号線とグランド線とを構成する。
【００１１】
また、イヤホンアンテナは、イヤホン部が左右一対のイヤホンと左右一対の信号線及びグランド線とからなるイヤホンコードを有するステレオイヤホン部であり、同軸ケーブルがイヤホンコードの一対の信号線と共通接続されたグランド線とをそれぞれ接続する互いに絶縁を保持された３本の導線によって芯線を構成する。
【発明の効果】
【００１２】
本発明にかかるイヤホンアンテナによれば、受信した高周波信号と本体機器側から供給される低周波信号とを伝送する線路を構成するイヤホンコードと少なくとも２本の導線からなる芯線とシールド線とを有する同軸ケーブルとが簡易な構造によって接続されることによって、コスト低減と小型軽量化による引き回し等の操作性の簡易化が図られるとともに、給電部におけるロスが低減されてアンテナ特性の向上が図られるようになる。
【発明を実施するための最良の形態】
【００１３】
以下、本発明の実施の形態として図面に示したイヤホンアンテナ１について、詳細に説明する。イヤホンアンテナ１は、図１に示すように例えば携帯型液晶テレビジョン受信機（以下、単に液晶テレビと称する）２に着脱されて用いられ、ＶＨＦ（Very High Frequency）テレビジョン放送番組やＵＨＦ（Ultra High Frequency）テレビジョン放送番組を受信してＲＦ信号を液晶テレビ２に伝送するとともに、液晶テレビ２から出力される音声信号を伝送して放音する。イヤホンアンテナ１は、イヤホン部３と、同軸ケーブル４と、ピンプラグコネクタ５とから構成され、ピンプラグコネクタ５が液晶テレビ２側のコネクタ６に着脱される。
【００１４】
液晶テレビ２は、図２に示すように、チューナ部７と、このチューナ部７に接続された中間周波数信号処理部８と、この中間周波数信号処理部８に接続された映像信号処理部９及び音声信号処理部１０とを備える。液晶テレビ２は、映像信号処理部９に接続された液晶表示部１１と上述したコネクタ６等を備えている。液晶テレビ２は、詳細を後述するイヤホンアンテナ１によって例えばテレビ放送やＦＭ放送（frequency-modulation brodcast band）等の各チャンネル電波を受信して液晶表示部１１によって受信放送の映像を表示するとともに音声信号をイヤホン部３によって出力する。
【００１５】
液晶テレビ２は、筐体に設けた詳細を省略する操作部１２によって、電源のオンオフ操作やチャンネル切換操作或いはボリューム調整操作等が行われる。液晶テレビ２は、図示しないが充電可能な二次電池を内蔵して持ち運び自在に用いられるとともに例えば家庭用商用電源や車載バッテリと接続して用いることも可能である。液晶テレビ２は、図示しないが第２のコネクタ部を備えてパーソナルコンピュータ等の外部機器との接続が行われるとともに、例えばハードディスク等の内部メモリを備え、或いは適宜の外部記憶媒体の再生機能を搭載するようにしてもよい。
【００１６】
液晶テレビ２は、チューナ部７においてイヤホンアンテナ１によって受信した放送電波から所定のチャンネル電波のＲＦ信号を選択し、このＲＦ信号に対して増幅処理を行って中間周波数信号処理部８へと出力する。液晶テレビ２は、中間周波数信号処理部８において所定の中間周波数信号への変換処理が行って画像信号を映像信号処理部９を出力するとともに音声信号を音声信号処理部１０に出力する。液晶テレビ２は、映像信号処理部９から液晶表示部１１に映像信号が出力されるとともに音声信号処理部１０から図示しない音声信号増幅回路とコネクタ６を介して音声信号がイヤホン部３に出力される。なお、液晶テレビ２は、例えば内蔵スピーカを有し、この内蔵スピーカから音声信号を出力するようにしてもよい。
【００１７】
イヤホンアンテナ１は、イヤホン部３が、図３に示すように、２本のイヤホンコード１３Ｒ、１３Ｌ（以下、個別に説明する場合を除いてイヤホンコード１３と総称する）と、これらイヤホンコード１３の相対する一端部にそれぞれ接続されたステレオイヤホン１４Ｒ、１４Ｌ（以下、個別に説明する場合を除き、イヤホン１４と総称する）と、イヤホンコード１３の他端部に設けられて同軸ケーブル４との接続子を構成する３端子構造のピンジャック１５とから構成される。イヤホン部３は、イヤホンコード１３Ｒ、１３Ｌが、それぞれ対をなす２本の音声信号線１６Ｒとグランド線１７Ｒ及び２本の音声信号線１６Ｌとグランド線１７Ｌとによって構成される。
【００１８】
イヤホンコード１３は、ピンジャック１５の２個の第１端子部１８Ｒと第２端子部１８Ｌに対して各音声信号線１６Ｒ、１６Ｌがそれぞれ独立して接続されるとともに、第３端子部１８Ｇに対してグランド線１７Ｒ、１７Ｌが共通して接続される。イヤホンコード１３は、液晶テレビ２の音声信号処理部１０から出力された音声信号の伝送路を構成するとともに、詳細を後述するように一端側が開放され他端側の同軸ケーブル４との接続部位を給電点とするアンテナ素子を構成する。
【００１９】
ピンジャック１５は、周知のように絶縁筒部の一端側に上述した３個の第１端子部１８Ｒと第２端子部１８Ｌ及び第３端子部１８Ｇが同軸に設けられるとともに、絶縁筒部の他端側に詳細を省略する同軸３ピン端子構造のピン端子部１９が設けられている。ピンジャック１５は、各端子部が絶縁筒部内を導線されて、ピン端子部１９の相対する端子部とそれぞれ接続される。
【００２０】
同軸ケーブル４は、図３及び図４に示すように一般に用いられている周知の同軸ケーブルと基本的な構成を同様とし、芯線２０を絶縁材２１で被覆し、この絶縁材２１の外周部を網線等からなるシールド線２２で被覆し、さらに全体を絶縁チューブ等の絶縁材からなる外皮２３によって被覆して構成される。同軸ケーブル４は、芯線２０が、図４に示すように互いに絶縁を保持された３本の第１導線２４Ｒと第２導線２４Ｌと第３導線２４Ｇとによって構成される。
【００２１】
同軸ケーブル４は、詳細を後述するように芯線２０を構成する第１導線２４Ｒと第３導線２４Ｇとがステレオイヤホン１４ＲにＲ音声信号を伝送する伝送線路を構成するとともに、第２導線２４Ｌと第３導線２４Ｇとがステレオイヤホン１４ＬにＬ音声信号を伝送する伝送線路を構成する。同軸ケーブル４は、第１導線２４Ｒ乃至第３芯線２４Ｇからなる芯線２０とシールド線２２とによってＲＦ信号を分離・重畳回路部２７に供給する伝送線路を構成する。なお、同軸ケーブル４は、詳細には後述するように第３芯線２４ＧがＲＦ信号の伝送線路として用いられる。
【００２２】
同軸ケーブル４には、一端側にイヤホンコード１３のピンジャック１５が着脱されるピンコネクタ２５が設けられる。ピンコネクタ２５は、詳細を省略するが一方側にピンジャック１５のピン端子部１９が嵌合される嵌合孔が開口された絶縁筐体内に、図３に示すように互いに絶縁を保持された３個の端子片２６Ｒ、２６Ｌ、２６Ｇが設けられている。ピンコネクタ２５は、嵌合孔にピンジャック１５のピン端子部１９を嵌合することにより、第１端子片２６Ｒに音声信号線１６Ｒが接続されるとともに、第２端子片２６Ｌに音声信号線１６Ｌが接続され、さらに共通接続されたグランド線１７Ｒ、１７Ｌが第３端子片２６Ｇに接続される。同軸ケーブル４とピンコネクタ２５は、上述した各線の接続を行った後に、この接続部位を絶縁材によって被覆することで一体化される。
【００２３】
同軸ケーブル４は、他端側において外皮２３や絶縁材２１を剥かれて引き出された各導線２４とシールド線２２とが、上述したようにピンプラグコネクタ５とそれぞれ接続される。ピンプラグコネクタ５は、基本的な構造が例えば携帯電話機等において外部機器との接続用に用いられているいわゆる１０ピン平型コネクタと同等のコネクタ構造を有する。ピンプラグコネクタ５は、絶縁筐体内に詳細を後述するように音声信号とＲＦ信号とを分離するとともに音声信号を同軸ケーブル４に重畳させる分離・重畳回路部２７を形成した配線基板２８が内蔵され、この配線基板２８の一端側に同軸ケーブル４の相対する各導線２４とシールド線２２とを接続する接続端子２９を形成するとともに、分離・重畳回路部２７を介して他端側に液晶テレビ２側のコネクタ６と接続されるピンプラグ部３０が設けられている。
【００２４】
ピンプラグコネクタ５は、接続端子２９が４個の接続端子２９Ｒ、２９Ｌ、２９ＲＦ、２９ＳＧとから構成され、第１接続端子２９Ｒに第１導線２４Ｒを接続し、第２接続端子２９Ｌに第２導線２４Ｌを接続し、第３接続端子２９ＲＦに第３導線２４Ｇを接続し、第４接続端子２９ＳＧにシールド線２２を接続する。ピンプラグコネクタ５は、ピンプラグ部３０も、４個のピン端子３０Ｒ、３０Ｌ、３０ＲＦ、３０ＳＧを有しており、分離・重畳回路部２７を介してそれぞれ相対する接続端子２９Ｒ、２９Ｌ、２９ＲＦ、２９ＳＧと接続されるとともに液晶テレビ２側のコネクタ６に設けられた詳細を省略する相対する各端子と接続される。
【００２５】
ピンプラグコネクタ５は、コネクタ６と接続されることによって分離・重畳回路部２７を介して同軸ケーブル４の各導線線２４とシールド線２２とを液晶テレビ２のチューナ部７と音声信号処理部１０とにそれぞれ接続させる。ピンプラグコネクタ５は、第１ピン端子３０Ｒが、第１導線２４ＲをＲ音声信号の伝送線路として音声信号処理部１０と接続させる。ピンプラグコネクタ５は、第２ピン端子３０Ｌが、第２導線２４ＬをＬ音声信号の伝送線路として音声信号処理部１０と接続させる。ピンプラグコネクタ５は、第３ピン端子３０ＲＦが、第３導線２４ＧをＲＦ信号の伝送線路としてチューナ部７と接続させる。ピンプラグコネクタ５は、第４ピン端子３０ＳＧが、シールド線２２を音声信号とＲＦ信号のグランドとしてグランド接続させる。
【００２６】
分離・重畳回路部２７には、配線基板２８に、Ｒ音声信号伝送パターン３１Ｒと、Ｌ音声信号伝送パターン３１Ｌと、ＲＦ信号パターン３１ＲＦと、音声／ＲＦ信号グランドパターン３１ＳＧとがパターン形成されている。分離・重畳回路部２７は、Ｒ音声信号伝送パターン３１Ｒが、第１接続端子２９Ｒと第１ピン端子３０Ｒとを接続する。分離・重畳回路部２７は、Ｌ音声信号伝送パターン３１Ｌが、第２接続端子２９Ｌと第２ピン端子３０Ｌとを接続する。
【００２７】
分離・重畳回路部２７は、ＲＦ信号パターン３１ＲＦが、第３接続端子２９ＲＦと第３ピン端子３０ＲＦとを接続する。分離・重畳回路部２７は、音声／ＲＦ信号グランドパターン３１ＳＧが、第４接続端子２９ＳＧと第４ピン端子３０ＳＧとを接続する。
【００２８】
分離・重畳回路部２７は、Ｒ音声信号伝送パターン３１ＲとＬ音声信号伝送パターン３１Ｌとにそれぞれ設けられた第１高周波チョーク３２と第２高周波チョーク３３とを有する。分離・重畳回路部２７は、Ｒ音声信号伝送パターン３１ＲとＲＦ信号パターン３１ＲＦとを接続する第１コンデンサ３４と、Ｌ音声信号伝送パターン３１ＬとＲＦ信号パターン３１ＲＦとを接続する第２コンデンサ３５とを有する。分離・重畳回路部２７は、ＲＦ信号パターン３１ＲＦに設けられた第３コンデンサ３６を有する。分離・重畳回路部２７は、ＲＦ信号パターン３１ＲＦと音声／ＲＦ信号グランドパターン３１ＳＧとを接続する第３高周波チョーク３７を有する。
【００２９】
第１高周波チョーク３２と第２高周波チョーク３３及び第３高周波チョーク３７には、音声信号の低周波数帯域（２０ＫＨｚ以下）ではローインピーダンス、ＲＦ信号の高周波数帯域ではハイインピーダンス（１ＫΩ以上）となるフェライトビーズが用いられる。第１コンデンサ３４乃至第３コンデンサ３６には、所定の容量特性を有するチップコンデンサが用いられる。
【００３０】
第１高周波チョーク３２及び第２高周波チョーク３３は、Ｒ音声信号伝送パターン３１ＲとＬ音声信号伝送パターン３１Ｌにおいて、それぞれ第１コンデンサ３４及び第２コンデンサ３５に対してピンプラグ部３０側に位置して設けられている。第３高周波チョーク３７は、第２コンデンサ３５と第３コンデンサ３６との間においてＲＦ信号パターン３１ＲＦと音声／ＲＦ信号グランドパターン３１ＳＧとに接続される。第１コンデンサ３４乃至第３コンデンサ３６は、音声信号の低周波数帯域ではハイインピーダンス、ＲＦ信号の高周波数帯域ではローインピーダンスとなる。
【００３１】
なお、分離・重畳回路部２７においては、上述したように第１コンデンサ３４と第２コンデンサ３５とを設けたが、かかる構成に限定されるものでは無い。分離・重畳回路部２７は、Ｒ音声信号伝送パターン３１ＲとＬ音声信号伝送パターン３１ＬとがＲＦ信号パターン３１ＲＦに対して容量結合することによって低周波数帯域では分離されるとともに高周波数帯域では結合されていればよい。分離・重畳回路部２７は、例えば配線基板２８上においてＲ音声信号伝送パターン３１ＲとＬ音声信号伝送パターン３１Ｌとが容量結合を行うように互いに近接して形成されることによって、第１コンデンサ３４と第２コンデンサ３５とが不要とされる。
【００３２】
以上のように構成された分離・重畳回路部２７は、第１高周波チョーク３２及び第２高周波チョーク３３がピン端子３０を介して液晶テレビ２側から供給される音声信号を通過させて、Ｒ音声信号伝送パターン３１ＲとＬ音声信号伝送パターン３１Ｌとに重畳されるようにする。分離・重畳回路部２７は、第１コンデンサ３４と第２コンデンサ３５とが、Ｒ音声信号伝送パターン３１ＲとＲＦ信号パターン３１ＲＦ及びＬ音声信号伝送パターン３１ＬとＲＦ信号パターン３１ＲＦとを低周波帯域の音声信号について分離するとともに、高周波帯域のＲＦ信号について一体化する作用を奏する。
【００３３】
分離・重畳回路部２７においては、第３接続端子２９ＲＦが、上述したように音声信号の伝送系においてグランドとして機能する同軸ケーブル４側の第３導線２４Ｇと接続される。第３接続端子２９ＲＦは、高周波数帯域ではハイインピーダンス、低周波周波数帯域ではローインピーダンスとなる第３高周波チョーク３７を介して、音声／ＲＦ信号グランドパターン３１ＳＧと接続される。また、第３接続端子２９ＲＦは、低周波数帯域ではハイインピーダンス、高周波周波数帯域ではローインピーダンスとなる第３コンデンサ３６を介してＲＦ信号パターン３１ＲＦと接続される。したがって、分離・重畳回路部２７においては、音声／ＲＦ信号グランドパターン３１ＳＧが、音声信号の低周波数帯域でグランド線路として機能する。
【００３４】
したがって、分離・重畳回路部２７においては、上述した構成によりイヤホンコード１３の音声信号線１６とグランド線１７とを音声信号の低周波数帯域においてアンテナ線路から分離した構成とする。分離・重畳回路部２７においては、Ｒ音声信号伝送パターン３１Ｒと音声／ＲＦ信号グランドパターン３１ＳＧとにより伝送されるＲ音声信号をイヤホン部３へと出力する。また、分離・重畳回路部２７においては、Ｌ音声信号伝送パターン３１Ｌと音声／ＲＦ信号グランドパターン３１ＳＧとにより伝送されるＬ音声信号をイヤホン部３へと出力する。
【００３５】
一方、分離・重畳回路部２７においては、同軸ケーブル４の芯線２０を構成する３本の導線２４を第１コンデンサ３４乃至第３コンデンサ３６によって容量結合することにより、高周波数帯域で一体化する。分離・重畳回路部２７においては、上述したようにアンテナ素子を構成するイヤホンコード１３がピンコネクタ２５に結合されるピンジャック１５を介して同軸ケーブル４の芯線２０と接続されることで、受信したＲＦ信号がシールド線２２をグランドとして芯線２０により伝送されて入力される。
【００３６】
分離・重畳回路部２７においては、Ｒ音声信号伝送パターン３１ＲとＬ音声信号伝送パターン３１Ｌとに伝送されるＲＦ信号を第１高周波チョーク３２及び第２高周波チョーク３３によってカットする。したがって、分離・重畳回路部２７においては、ＲＦ信号を、ＲＦ信号グランドパターン３１ＳＧをグランドとしＲＦ信号パターン３１ＲＦを伝送線路として、第３ピン端子３０ＲＦと第４ピン端子３０ＳＧからピンプラグコネクタ５に結合されたコネクタ６を介して液晶テレビ２に入力させる。
【００３７】
以上のように構成されたイヤホンアンテナ１は、図１に示すようにイヤホン部３がピンジャック１５をピンコネクタ２５に結合することによって同軸ケーブル４と接続される。イヤホンアンテナ１は、ピンプラグコネクタ５をコネクタ６に結合することによって液晶テレビ２と接続される。イヤホンアンテナ１においては、所定長のイヤホンコード１３がアンテナ素子を構成してＲＦ信号を受信して液晶テレビ２に出力するとともに、液晶テレビ２側から出力された音声信号をイヤホン部３のステレオイヤホン１４Ｒ、１４Ｌから放音する。
【００３８】
イヤホンアンテナ１においては、イヤホンコード１３によって受信したＲＦ信号を、イヤホン部３から結合されたピンジャック１５とピンコネクタ２５とを介して同軸ケーブル４の芯線２０とシールド線２２とを伝送線路としてピンプラグコネクタ５に設けられた分離・重畳回路部２７へと入力する。イヤホンアンテナ１においては、分離・重畳回路部２７が、芯線２０を構成する第１導線２４Ｒと第２導線２４Ｌとを介してＲ音声信号伝送パターン３１ＲとＬ音声信号伝送パターン３１Ｌに伝送されるＲＦ信号を第１高周波チョーク３２及び第２高周波チョーク３３とによってカットする。イヤホンアンテナ１においては、分離・重畳回路部２７がシールド線２２に接続された音声／ＲＦ信号グランドパターン３１ＳＧをグランドとしてＲＦ信号を、同軸ケーブル４の第３導線２４Ｇと接続されたＲＦ信号パターン３１ＲＦを伝送線路として、ＲＦ信号を液晶テレビ２に入力させる。
【００３９】
イヤホンアンテナ１においては、分離・重畳回路部２７が、液晶テレビ２側から出力された音声信号を第１高周波チョーク３２及び第２高周波チョーク３３とによってＲ音声信号伝送パターン３１ＲとＬ音声信号伝送パターン３１Ｌに重畳させる。イヤホンアンテナ１においては、第３高周波チョーク３７を介して第３接続端子２９ＲＦに接続した音声／ＲＦ信号グランドパターン３１ＳＧをグランドとして、Ｒ音声信号を、Ｒ音声信号伝送パターン３１Ｒ−第１接続端子２９Ｒ−第１導線２４Ｒ−第１端子片２６Ｒ−音声信号線１６Ｒのルートによってステレオイヤホン１４Ｒへ供給する。また、イヤホンアンテナ１においては、音声／ＲＦ信号グランドパターン３１ＳＧをグランドとして、Ｌ音声信号伝送パターン３１Ｌ−第２接続端子２９Ｌ−第２導線２４Ｌ−第２端子片２６Ｌ−音声信号線１６Ｌのルートによってステレオイヤホン１４Ｌへ供給する。
【００４０】
イヤホンアンテナ１においては、上述した同軸ケーブル４が、図５に示した導線構造によって芯線を構成するようにしてもよい。同図（Ａ）に示した芯線４０は、３本の導線４１Ｒ、４１Ｌ、４１Ｇが、単線の被覆導線によって構成される。同図（Ｂ）に示した芯線４２は、３本の導線４３Ｒ、４３Ｌ、４３Ｇが、それぞれ撚り線の被覆導線によって構成される。同図（Ｃ）に示した芯線４４は、３本の導線４５Ｒ、４５Ｌ、４５Ｇが、複数本の単線の被覆導線又は撚り線の被覆導線によって構成される。同図（Ｄ）に示した芯線４６は、３本の導線４７Ｒ、４７Ｌ、４７Ｇが、それぞれ個々に絶縁された多数本の導線を撚り線することによって高周波抵抗を低減したリッツ線によって構成される。
【００４１】
イヤホンアンテナ１においては、液晶テレビ２と接続するためにピンプラグコネクタ５として分離・重畳回路部２７を形成した配線基板２８を内蔵した１０ピン平型コネクタを用いたが、例えばプラグとジャックとによる接続構造であってもよい。イヤホンアンテナ１においては、この場合に分離・重畳回路部２７と同等の機能或いはその一部を液晶テレビ２側に設けるようにしてもよい。
【００４２】
イヤホンアンテナ１においては、イヤホン部３が一対のイヤホンコード１３Ｒ、１３Ｌと一対のステレオイヤホン１４Ｒ、１４Ｌとを備えたが、例えば音声信号をモノラルで再生する場合にはそれぞれ１個のイヤホンコードとイヤホンとによって構成される。イヤホンアンテナ１においては、この場合に１本の音声信号線と１本のグランド線とからなる２本の導線によって芯線を構成した同軸ケーブルを用いることが可能である。イヤホンアンテナ１においては、その分離・重畳回路部が、高周波チョークやチップコンデンサも少ない数によって構成される。かかる分離・重畳回路部は、１本の導線に高周波チョークが接続されるとともに他の１本の導線にチップコンデンサが接続され、各導線間を容量結合するチップコンデンサによって接続する。分離・重畳回路部は、シールド線と接続されたパターンがグランド接続される。
【００４３】
イヤホンアンテナ１においては、複数本の被覆導線によって芯線を構成した同軸ケーブルを用いるようにしてもよい。イヤホンアンテナ１においては、ピンコネクタ２５として固定端子を備えたものを用いて、この固定端子との接続の有無を検出してイヤホン部７の接続の有無を判別して液晶テレビ２からの音声信号の出力を切り換えるように構成することも可能である。
【００４４】
ところで、イヤホンアンテナ１においては、同軸ケーブル４のシールド線２２を含めてアンテナ素子を構成することから、ケーブル長が液晶テレビ２のグランドに対してλ／４となる場合に、人体の影響を受けてアンテナ特性が大きく劣化する。したがって、イヤホンアンテナ１は、上述した分離・重畳回路部２７に代えて図６に第２の実施の形態として示した分離・重畳回路部５０を備えるようにしてもよい。分離・重畳回路部５０は、所望の周波数帯域では液晶テレビ２側のグランドとの結合を切断する第４コンデンサ５１を設けた構成に特徴を有している。なお、分離・重畳回路部５０は、その他の構成を上述した分離・重畳回路部２７と同様とすることから、対応する部位に同一符号を付してその説明を省略する。
【００４５】
すなわち、イヤホンアンテナ１においては、同軸長が１００ＭＨｚのλ／４（約７５ｃｍ）とすると、液晶テレビ２側のグランドと同軸ケーブル４のシールド線２２とでアンテナ素子を構成して高周波電流が流れてしまうことから、液晶テレビ２の筐体を把持したときに人体の影響を受けてアンテナ特性が大きく劣化する。なお、イヤホンアンテナ１は、ＵＨＦ放送電波が高調波励振のために、人体の影響はほとんど生じない。
【００４６】
イヤホンアンテナ１においては、分離・重畳回路部５０が図６に示すように、第４接続端子２９ＳＧと第４ピン端子３０ＳＧとを接続する音声／ＲＦ信号グランドパターン３１ＳＧに第４コンデンサ５１が設けられる。第４コンデンサ５１は、例えば２０ｐＦの容量特性を有し、ＶＨＦ帯域（３０ＭＨｚ〜３００ＭＨｚ）ではハイインピーダンス、ＵＨＦ帯域（３００ＭＨｚ〜３０００ＭＨｚ）ではローインピーダンスとなる。
【００４７】
したがって、イヤホンアンテナ１においては、音声／ＲＦ信号グランドパターン３１ＳＧが接続される第４ピン端子３０ＳＧが、ＶＨＦテレビジョン放送番組の受信モードで第４コンデンサ５１によって液晶テレビ２側のグランドと分離された状態となる。イヤホンアンテナ１においては、これによって液晶テレビ２の筐体が把持された場合でも、人体の影響を回避することが可能であり所定のアンテナ特性が奏されるようになる。なお、イヤホンアンテナ１においては、ＵＨＦテレビジョン放送番組の受信モードで第４コンデンサ５１がローインピーダンスとなって第４ピン端子３０ＳＧが液晶テレビ２側のグランドと接続されるが、上述したＵＨＦ放送電波の特性から筐体を把持されても人体の影響が及ばないことから所定のアンテナ特性が奏されるようになる。
【００４８】
なお、イヤホンアンテナ１は、上述した第４コンデンサ５１に限定されず、所望の周波数帯域において音声／ＲＦ信号グランドパターン３１ＳＧと液晶テレビ２側のグランドとを切り離す各種の機能素子を用いてもよいことは勿論である。
【００４９】
上述した実施の形態においては、液晶テレビ２に着脱されるイヤホンアンテナ１について説明したが、本発明はかかる適用例に限定されるものでは無いことは勿論である。イヤホンアンテナ１は、例えば携帯型ラジオ受信機やページャ等の各種の携帯型無線電子機器にも用いられる。
【図面の簡単な説明】
【００５０】
【図１】実施の形態として示すイヤホンアンテナを液晶テレビに用いた説明図である。
【図２】イヤホンアンテナと液晶テレビとのブロック図である。
【図３】イヤホンアンテナの回路構成図である。
【図４】イヤホンアンテナに用いる同軸ケーブルの構成図である。
【図５】イヤホンアンテナに用いる他の同軸ケーブルの構成図である。
【図６】他の分離・重畳回路部を備えたイヤホンアンテナの回路構成図である。
【符号の説明】
【００５１】
１  イヤホンアンテナ、２  液晶テレビ、３  イヤホン部、４  同軸ケーブル、５  ピンプラグコネクタ、６  コネクタ、７  チューナ部、８  中間周波数信号処理部、９  映像信号処理部、１０  音声信号処理部、１１  液晶表示部、１２  操作部、１３  イヤホンコード、１４  ステレオイヤホン、１５  ピンジャック、１６  音声信号線、１７  グランド線、１８  端子部、１９  ピン端子部、２０  芯線、２１  絶縁材、２２  シールド線、２３  外皮、２４  導線、２５  ピンコネクタ、２６  端子片、２７  分離・重畳回路部、２８  配線基板、２９  接続端子、３０  ピン端子、３１  パターン、３２  第１高周波チョーク、３３  第２高周波チョーク、３４  第１コンデンサ、３５  第２コンデンサ、３６  第３コンデンサ、３７  第３高周波チョーク、５０  分離・重畳回路部、５１  第４コンデンサ
【図１】
2007104591.tif 000003
【図２】
2007104591.tif 000004
【図３】
2007104591.tif 000005
【図４】
2007104591.tif 000006
【図５】
2007104591.tif 000007
【図６】
2007104591.tif 000008